(57)【特許請求の範囲】
【請求項１】
第一の周波数帯及び前記第一の周波数帯よりも高い周波数の第二の周波数帯の各送受信信号を送受信する送受信アンテナが接続されるアンテナ端子と、前記第一の周波数帯の送信信号が入力される第一の信号入力端子と、前記第二の周波数の送信信号が入力される第二の信号入力端子と、前記第一の周波数帯と前記第二の周波数帯の各受信信号が出力される信号出力端子と、一端が前記アンテナ端子に、他端が前記信号出力端子にそれぞれ接続され、前記第一の周波数帯の信号波長の１／４の長さのマイクロストリップラインと、２値レベルの第一の周波数帯切替電圧が供給され、高周波的に接地された第一の切替端子と、２値レベルの第二の周波数帯切替電圧が供給され、高周波的に接地された第二の切替端子と、前記マイクロストリップラインの他端と前記第二の切替端子間に接続された第一のスイッチダイオードと、前記マイクロストリップラインの一端から前記第二の周波数帯の信号波長の１／４の長さ離れた中間位置と前記第一の切替端子間に接続された第二のスイッチダイオードと、前記第一の信号入力端子と前記アンテナ端子間に接続された第三のスイッチダイオードと、前記第二の信号入力端子と前記アンテナ端子間に接続された第四のスイッチダイオードと、前記第一の切替端子と前記第三のスイッチダイオードの前記第一の切替端子側電極間に接続された第一の切替電圧伝送路と、前記第二の切替端子と前記第四のスイッチダイオードの前記第二の切替端子側電極間に接続された第二の切替電圧伝送路とを備え、前記第一の周波数帯切替電圧が第一のレベルで、前記第二の周波数帯切替電圧が第二のレベルのとき、前記第一のスイッチダイオード及び前記第三のスイッチダイオードに順バイアス電圧が供給されてオンになるとともに、前記第二のスイッチダイオード及び前記第四のスイッチダイオードに逆バイアス電圧が供給されてオフになり、前記第一の信号入力端子に入力される前記第一の周波数帯の送信信号が前記アンテナ端子に伝送され、前記マイクロストリップラインが前記第一の周波数帯の送信信号に対して高インピーダンスになり、また、前記第一の周波数帯切替電圧が第二のレベルで、前記第二の周波数帯切替電圧が第一のレベルのとき、前記第二のスイッチダイオード及び前記第四のスイッチダイオードに順バイアス電圧が供給されてオンになるとともに、前記第一のスイッチダイオード及び前記第三のスイッチダイオードに逆バイアス電圧が供給されてオフになり、前記第二の信号入力端子に入力される前記第二の周波数帯の送信信号が前記アンテナ端子に伝送され、前記マイクロストリップラインが前記第二の周波数帯の送信信号に対して高インピーダンスになることを特徴とするアンテナ切り替え回路。
【発明の詳細な説明】
【０００１】
【発明の属する技術分野】
本発明は、異なる周波数帯域の送受信を行うデュアルバンド対応携帯通信機器に用いられるアンテナ切り替え回路に関するものである。
【０００２】
【従来の技術】
携帯通信機器等では、アンテナが送受信兼用となっており、図２のようにアンテナＡＮＴと送信回路ＴＸとの間及び、アンテナＡＮＴと受信回路ＲＸとの間の接続を切り替えるためにアンテナ切り替え回路ＡＮＴ−ＳＷが用いられる。
【０００３】
そして、近年では、周波数帯の異なる複数の通信方式によるサービスを利用するために、異なる２つの周波数帯域の送受信動作に対応する所謂デュアルバンド対応の携帯用通信機器が求められている。
【０００４】
従来のデュアルバンド対応のアンテナ切り替え回路は、図３に示すような回路構成となっていた。
【０００５】
このアンテナ切り替え回路は、送信及び受信を行うアンテナ５１が接続されるアンテナ端子５２と、第一の送信回路５３が接続される第一の信号入力端子５７と、第二の送信回路５４が接続される第二の信号入力端子５８と、第一の受信回路５５と第二の受信回路５６とが接続される信号出力端子５９とを有している。第一の送信回路５３と第一の受信回路５５とは、例えば、ＧＳＭ（Global System for Mobile Communications）用の回路として、９００ＭＨｚの第一の周波数帯の信号を送受信する。また、第二の送信回路５４と第二の受信回路５６とは、例えばＤＣＳ（Digital Cellular System）用の回路として、１７００ＭＨｚの第二の周波数帯の信号を送受信する。
【０００６】
また、第一の信号入力端子５７は、コンデンサ７１ａを介して、第一のスイッチダイオード６０のアノードに接続される。また、第一のスイッチダイオード６０のアノードは、第一の切り替え端子６７にチョークコイル７２ａと抵抗７３ａとの直列回路を介して接続されている。尚、チョークコイル７２ａと抵抗７３ａとの間の点は、コンデンサ７１ｂを介して高周波的に接地されている。
【０００７】
また、第二の信号入力端子５８は、コンデンサ７１ｃを介して、第二のスイッチダイオード６１のアノードに接続される。また、第二のスイッチダイオード６１のアノードは、第二の切り替え端子６８にチョークコイル７２ｂと抵抗７３ｂとの直列回路を介して接続されている。尚、チョークコイル７２ｂと抵抗７３ｂとの間の点は、コンデンサ７１ｄを介して高周波的に接地されている。
【０００８】
そして、第一のスイッチダイオード６０のカソードと第二のスイッチダイオード６１のカソードとがアンテナ端子５２に接続される。また、アンテナ端子５２は、コンデンサ７１ｅを介してアンテナ５１に接続されると共に、第一のマイクロストリップライン６５の一端に接続される。この第一のマイクロストリップライン６５の長さは、第一の周波数帯（９００ＭＨｚ帯）では、信号の波長の約二分の一の長さであり、第二の周波数帯（１７００ＭＨｚ帯）では、信号の波長の約四分の一の長さである。尚、アンテナ端子５２は、チョークコイル７２ｃを介して接地されている。
【０００９】
第一のマイクロストリップライン６５の他端は、コンデンサ７１ｆとコンデンサ７１ｇの直列回路を介して信号出力端子５９に接続される。コンデンサ７１ｆとコンデンサ７１ｇとの接続点は、第三のスイッチダイオード６２のアノードに接続され、第三のスイッチダイオード６２のカソードは接地される。第三のスイッチダイオード６２のアノードは、第三の切り替え端子６９にチョークコイル７２ｄと抵抗７３ｃとの直列回路を介して接続されている。尚、チョークコイル７２ｄと抵抗７３ｃとの間の点は、コンデンサ７１ｈを介して高周波的に接地されている。
【００１０】
そして、信号出力端子５９は、第四のスイッチダイオード６３のカソードに接続され、第四のスイッチダイオード６３のアノードは、コンデンサ７１ｉを介して第一の受信回路５５に接続される。また、第四のスイッチダイオード６３のアノードは、第四の切り替え端子７０にチョークコイル７２ｅと抵抗７３ｄとの直列回路を介して接続されている。尚、チョークコイル７２ｅと抵抗７３ｄとの間の点は、コンデンサ７１ｊを介して高周波的に接地されている。
【００１１】
また、信号出力端子５９に、第二のマイクロストリップライン６６の一端が接続される。第二のマイクロストリップライン６６の長さは、第一の周波数帯において約λ／４である。第二のマイクロストリップライン６６の他端は、コンデンサ７１ｋを介して、第二の受信回路５６に接続されると共に、第五のスイッチダイオード６４を介して接地される。
【００１２】
このように構成されたアンテナ切り替え回路において、第一の送信回路５３から第一の周波数帯の信号が出力されるときには、第一の切り替え端子６７の電圧をハイレベルにして、抵抗７３ａ、チョークコイル７２ａ、第一のスイッチダイオード６０、チョークコイル７２ｃに電流を流す。更に、第三の切り替え端子６９の電圧をハイレベルにして、抵抗７３ｃ、チョークコイル７２ｄ、第三のスイッチダイオード６２に電流を流す。従って第一のスイッチダイオード６０と、第三のスイッチダイオード６２とがオン状態となり、第二のスイッチダイオード６１と、第四のスイッチダイオード６３と、第五のスイッチダイオード６４とはオフ状態となる。
【００１３】
このため、第一の送信回路５３と、アンテナ５１とが電気的に接続される。また、第一のマイクロストリップライン６５の長さは、第一の周波数帯において約λ／４であり、第一のマイクロストリップライン６５の他端が第三のスイッチダイオード６２を介して接地されるので、アンテナ端子５２より信号出力端子５９を見ると、高インピーダンス状態となり、第一の周波数帯の信号は、信号出力端子５９へは、ほとんど伝送されない。
【００１４】
また、第二の送信回路５４から第二の周波数帯の送信信号が出力されるときには、第二の切り替え端子６８の電圧をハイレベルにする。これにより、抵抗７３ｂ、チョークコイル７２ｂ、第二のスイッチダイオード６１、チョークコイル７２ｃに電流が流れる。従って第二のスイッチダイオード６１がオン状態となり、第一のスイッチダイオード６０と、第三のスイッチダイオード６２と、第四のスイッチダイオード６３と、第五のスイッチダイオード６４とはオフ状態となる。
【００１５】
このため、第二の送信回路５４と、アンテナ５１とが電気的に接続される。また、第一のマイクロストリップライン６５の長さは、第一の周波数帯において約λ／２であり、第一のマイクロストリップライン６５の他端が開放されているので、アンテナ端子５２より信号出力端子５９を見ると、高インピーダンス状態となり、第一の周波数帯の信号は、信号出力端子５９へは、ほとんど伝送されない。
【００１６】
また、第一の受信回路５５で第一の周波数帯の信号を受信するときには、第四の切り替え端子７０の電圧をハイレベルにして、抵抗７３ｄ、チョークコイル７２ｅ、第四のスイッチダイオード６３、第二のマイクロストリップライン６６、第五のスイッチダイオード６４に電流を流す。従って、第四のスイッチダイオード６３と、第五のスイッチダイオード６４とがオン状態となり、第一のスイッチダイオード６０と、第二のスイッチダイオード６１と、第三のスイッチダイオード６２とはオフ状態となる。
【００１７】
このため、第一の受信回路５５と、アンテナ５１とが電気的に接続される。また、第二のマイクロストリップライン６６の長さは、第一の周波数帯において約λ／４であり、第二のマイクロストリップライン６６の他端が第五のスイッチダイオード６４を介して接地されるので、信号出力端子５９より第二の受信回路５６を見ると、高インピーダンス状態となり、第二の周波数帯の信号は、第二の受信回路５６へは、伝送されない。
【００１８】
また、第二の受信回路５６で第二の周波数帯の信号を受信するときには、第一〜第四の切り替え端子６７〜７０の電圧をそれぞれローレベルにする。従って、第一〜第五のスイッチダイオード６０〜６４がオフ状態となる。
【００１９】
このため、第二の受信回路５６と、アンテナ５１とだけが電気的に接続される。
【００２０】
【発明が解決しようとする課題】
上述のアンテナ切り替え回路では、第一のマイクロストリップライン６５の長さを、第一の周波数帯の信号の波長の約四分の一、かつ、第二の周波数帯の信号の波長の約二分の一の長さとしている。そして、第一の周波数帯の信号を送信する場合には、第一のマイクロストリップライン６５の他端を接地し、第二の周波数帯の信号を送信する場合には、第二のマイクロストリップライン６５の他端を開放することによって、アンテナ端子５２から第一の受信回路５５と第二の受信回路５６とを見たインピーダンスを高くして、送信信号が、第一の受信回路５５と第二の受信回路５６とに入力されることを防いでいる。
【００２１】
しかし、第一の周波数帯の信号の波長の長さと、第二の周波数帯の信号の波長の長さとの比率が、正確には２対１ではないため、第一の周波数帯と第二の周波数帯との両方において、アンテナ端子５２から信号出力端子５９を見たインピーダンスを十分に高くすることができず、第一の受信回路５５と第二の受信回路５６とへ送信信号が漏洩していた。
【００２２】
また、アンテナ５１を第一の送信回路５３、または、第二の送信回路５４、または、第一の受信回路５５、または、第二の受信回路５６に択一的に接続するために、４つの切り替え端子６７〜７０が必要となり、携帯通信機器全体の回路が複雑となり、携帯通信機器の小型化の妨げとなっていた。
【００２３】
また、チョークコイル７２ａ〜７２ｅが５つ必要であり、アンテナ切り替え回路の小型化の妨げとなっていた。
【００２４】
【課題を解決するための手段】
上記の課題を解決するため、本発明のアンテナ切り替え回路は、第一の周波数帯及び前記第一の周波数帯よりも高い周波数の第二の周波数帯の各送受信信号を送受信する送受信アンテナが接続されるアンテナ端子と、前記第一の周波数帯の送信信号が入力される第一の信号入力端子と、前記第二の周波数の送信信号が入力される第二の信号入力端子と、前記第一の周波数帯と前記第二の周波数帯の各受信信号が出力される信号出力端子と、一端が前記アンテナ端子に、他端が前記信号出力端子にそれぞれ接続され、前記第一の周波数帯の信号波長の１／４の長さのマイクロストリップラインと、２値レベルの第一の周波数帯切替電圧が供給され、高周波的に接地された第一の切替端子と、２値レベルの第二の周波数帯切替電圧が供給され、高周波的に接地された第二の切替端子と、前記マイクロストリップラインの他端と前記第二の切替端子間に接続された第一のスイッチダイオードと、前記マイクロストリップラインの一端から前記第二の周波数帯の信号波長の１／４の長さ離れた中間位置と前記第一の切替端子間に接続された第二のスイッチダイオードと、前記第一の信号入力端子と前記アンテナ端子間に接続された第三のスイッチダイオードと、前記第二の信号入力端子と前記アンテナ端子間に接続された第四のスイッチダイオードと、前記第一の切替端子と前記第三のスイッチダイオードの前記第一の切替端子側電極間に接続された第一の切替電圧伝送路と、前記第二の切替端子と前記第四のスイッチダイオードの前記第二の切替端子側電極間に接続された第二の切替電圧伝送路とを備え、前記第一の周波数帯切替電圧が第一のレベルで、前記第二の周波数帯切替電圧が第二のレベルのとき、前記第一のスイッチダイオード及び前記第三のスイッチダイオードに順バイアス電圧が供給されてオンになるとともに、前記第二のスイッチダイオード及び前記第四のスイッチダイオードに逆バイアス電圧が供給されてオフになり、前記第一の信号入力端子に入力される前記第一の周波数帯の送信信号が前記アンテナ端子に伝送され、前記マイクロストリップラインが前記第一の周波数帯の送信信号に対して高インピーダンスになり、また、前記第一の周波数帯切替電圧が第二のレベルで、前記第二の周波数帯切替電圧が第一のレベルのとき、前記第二のスイッチダイオード及び前記第四のスイッチダイオードに順バイアス電圧が供給されてオンになるとともに、前記第一のスイッチダイオード及び前記第三のスイッチダイオードに逆バイアス電圧が供給されてオフになり、前記第二の信号入力端子に入力される前記第二の周波数帯の送信信号が前記アンテナ端子に伝送され、前記マイクロストリップラインが前記第二の周波数帯の送信信号に対して高インピーダンスになるようにしたものである。
【００２６】
前記構成を有するアンテナ切り替え回路は、第一の周波数帯切替電圧が第一のレベルで、第二の周波数帯切替電圧が第二のレベルのとき、第一のスイッチダイオード及び第三のスイッチダイオードに順バイアス電圧が供給されてオンになり、第一の信号入力端子に入力される第一の周波数帯の送信信号が第三のスイッチダイオードを通してアンテナ端子に伝送され、第一の周波数帯の送信信号が送受信アンテナから送信される。このとき、マイクロストリップラインは、第一のスイッチダイオードのオンによってその他端が高周波的に接地され、第一の周波数帯の送信信号波長の１／４の長さの高インピーダンス線路になるので、第一の周波数帯の送信信号がマイクロストリップラインを通して信号受信回路側に伝送されることがない。
また、第一の周波数帯切替電圧が第二のレベルで、第二の周波数帯切替電圧が第一のレベルのとき、第二のスイッチダイオード及び第四のスイッチダイオードに順バイアス電圧が供給されてオンになり、第二の信号入力端子に入力される第二の周波数帯の送信信号が第四のスイッチダイオードを通してアンテナ端子に伝送され、第二の周波数帯の送信信号が送受信アンテナから送信される。このとき、マイクロストリップラインは、第二のスイッチダイオードのオンによってその中間位置が高周波的に接地され、第二の周波数帯の送信信号波長の１／４の長さの高インピーダンス線路になるので、第二の周波数帯の送信信号がマイクロストリップラインを通して信号受信回路側に伝送されることがない。
【００２７】
【発明の実施の形態】
以下、本発明のアンテナ切り替え回路を図１に基づいて説明する。図１に示されるように、このアンテナ切り替え回路は、送信及び受信を行うアンテナ１が接続されるアンテナ端子２と、第一の送信回路３が接続される第一の信号入力端子７と、第二の送信回路４が接続される第二の信号入力端子８と、第一の受信回路５と、第二の受信回路６とを有している。第一の送信回路３と第一の受信回路５とは、例えばＧＳＭ用の回路として、９００ＭＨｚの第二の周波数帯の信号を送受信する。また、第二の送信回路４と第二の受信回路６とは、例えばＤＣＳ用の回路として、１７００ＭＨｚの第一の周波数帯の信号を送受信する。
【００２８】
また、第一の信号入力端子７は、コンデンサ２１ａを介して、第三のスイッチダイオード１２のアノードに接続される。また、第三のスイッチダイオード１２のアノードは、第一の切り替え端子１８にチョークコイル２２ａと抵抗２３ａとの直列回路を介して直流的に接続されている。尚、チョークコイル２２ａと抵抗２３ａとの間の点は、コンデンサ２１ｂを介して高周波的に接地されている。
【００２９】
また、第二の信号入力端子８は、コンデンサ２１ｃを介して、第四のスイッチダイオード１３のアノードに接続される。また、第四のスイッチダイオード１３のアノードは、第二の切り替え端子１９にチョークコイル２２ｂと抵抗２３ｂとの直列回路を介して直流的に接続されている。尚、チョークコイル２２ｂと抵抗２３ｂとの間の点は、コンデンサ２１ｄを介して高周波的に接地されている。
【００３０】
そして、第三のスイッチダイオード１２のカソードと第四のスイッチダイオード１３のカソードとがアンテナ端子２に接続される。また、アンテナ端子２は、コンデンサ２１ｅを介してアンテナ１に接続されると共に、第一のマイクロストリップライン１６の一端に接続される。この第一のマイクロストリップライン１６の長さは、第一の周波数帯の周波数（９００ＭＨｚ帯）に対して１／４波長の長さとなっている。
【００３１】
第一のマイクロストリップライン１６の他端は、コンデンサ２１ｆを介して信号出力端子９に接続される。また、第一のマイクロストリップライン１６の他端は、第一のスイッチダイオード１０のアノードに接続され、第一のスイッチダイオード１０のカソードは、第二の切り替え端子１９に接続される。
【００３２】
そして、第一のマイクロストリップライン１６におけるアンテナ端子２側の端部から第二の周波数帯の周波数（１７００ＭＨｚ）に対して１／４波長の長さ離れた位置に、第二のスイッチダイオード１１のアノードが接続され、第二のスイッチダイオード１１のカソードは、第一の切り替え端子１８に接続される。
【００３３】
信号出力端子９は、第五のスイッチダイオード１４のカソードに接続され、第五のスイッチダイオード１４のアノードは、コンデンサ２１ｇを介して第一の受信回路５に接続される。また、第五のスイッチダイオード１４のアノードは、第三の切り替え端子２０にチョークコイル２２ｃと抵抗２３ｃとの直列回路を介して直流的に接続されている。尚、チョークコイル２２ｃと抵抗２３ｃとの間の点は、コンデンサ２１ｈを介して高周波的に接地されている。
【００３４】
また、信号出力端子９に、第二のマイクロストリップライン１７の一端が接続される。第二のマイクロストリップライン１７の長さは、第一の周波数帯の周波数に対して１／４波長である。第二のマイクロストリップライン１７の他端は、コンデンサ２１ｉを介して、第二の受信回路６に接続されると共に、第六のスイッチダイオード１５を介して接地される。
【００３５】
このように構成されたアンテナ切り替え回路において、第一の送信回路３から第一の周波数帯の信号を出力するときには、第一の切り替え端子１８からハイレベルの電圧を印加すると共に、第二の切り替え端子１９からローレベルの電圧を印加する。すると、第一の切り替え端子１８から、抵抗２３ａ、チョークコイル２２ａ、第三のスイッチダイオード１２、第一のマイクロストリップライン１６、第一のスイッチダイオード１０を通じて第二の切り替え端子１９に電流が流れる。従って、第一のスイッチダイオード１０と第三のスイッチダイオード１２とがオン状態となる。
【００３６】
このため、第一の信号入力端子７とアンテナ端子２とがオン状態になった第三のスイッチダイオード１２を通して電気的に接続される。また、マイクロストリップライン１６は、全長が第一の周波数帯の送信信号波長の１／４の長さであり、その他端がオン状態になった第一のスイッチダイオード１０を通して高周波的な接地点である第二の切替端子１９に接続されているので、アンテナ端子２からマイクロストリップライン１６側を見たとき、第一の周波数帯の送信信号に対して高インピーダンスになり、第一の周波数帯の送信信号がマイクロストリップライン１６を通して信号出力端子９に伝送されることがない。なお、この時点に、第二のスイッチダイオード１１及び第四のスイッチダイオード１３は、それぞれ逆バイアス電圧が印加されるので、それらは確実にオフ状態になっている。
【００３７】
また、第二の送信回路４から第二の周波数帯の送信信号が出力されるときには、第二の切り替え端子１９からハイレベルの電圧を印加すると共に、第一の切り替え端子１８からローレベルの電圧を印加する。すると、第二の切り替え端子１９から、抵抗２３ｂ、チョークコイル２２ｂ、第四のスイッチダイオード１３、第一のマイクロストリップライン１６、第二のスイッチダイオード１１を通じて第一の切り替え端子１８に電流が流れる。従って第二のスイッチダイオード１１と第四のスイッチダイオード１３とがオン状態となる。
【００３８】
このため、第二の信号入力端子８とアンテナ端子２とがオン状態になった第四のスイッチダイオード１３を通して電気的に接続される。また、マイクロストリップライン１６は、その一端から第二の周波数帯の送信信号波長の１／４の長さの中間位置がオン状態になった第二のスイッチダイオード１１を通して高周波的な接地点である第一の切替端子１８に接続されているので、アンテナ端子２からマイクロストリップライン１６側を見たとき、第二の周波数帯の送信信号に対して高インピーダンスになり、第二の周波数帯の送信信号がマイクロストリップライン１６を通して信号出力端子９に伝送されることがない。なお、この時点に、第一のスイッチダイオード１０及び第三のスイッチダイオード１２は、それぞれ逆バイアス電圧が印加されるので、それらは確実にオフ状態になっている。
【００３９】
また、第一の受信回路５で第一の周波数帯の信号を受信するときには、第三の切り替え端子２０にハイレベルの電圧を印加して、抵抗２３ｃ、チョークコイル２２ｃ、第五のスイッチダイオード１４、第二のマイクロストリップライン１７、第六のスイッチダイオード１５に電流を流す。従って、第五のスイッチダイオード１４と、第六のスイッチダイオード１５とがオン状態となり、第一のスイッチダイオード１０と、第二のスイッチダイオード１１と、第三のスイッチダイオード１２と、第四のスイッチダイオード１３とはオフ状態となる。
【００４０】
このため、第一の受信回路５と、アンテナ１とが電気的に接続される。また、第二のマイクロストリップライン１７の長さは、第一の周波数帯の周波数に対して１／４波長であり、第二のマイクロストリップライン１７の他端が第六のスイッチダイオード１５を介して接地されるので、信号出力端子９より第二の受信回路６を見ると、高インピーダンス状態となり、第二の周波数帯の信号は、第二の受信回路６へは、伝送されない。
【００４１】
また、第二の受信回路６において第二の周波数帯の受信信号を受信するときには、第一乃至第三の切替端子１８乃至２０にそれぞれローレベルの電圧を印加する。このとき、第一乃至第六のスイッチダイオード１０乃至１５はいずれもオフ状態になる。そして、アンテナ端子２と第二の受信回路６とが電気的に接続され、送受信アンテナで受信した第二の周波数帯の受信信号が第二の受信回路６に供給される。
【００４２】
なお、前記実施の形態においては、第一の周波数帯の送信信号をアンテナ端子２に供給する際に、第一の周波数帯切替電圧にハイレベルの電圧を、第二の周波数帯切替電圧にローレベルの電圧をそれぞれ供給するようにし、一方、第二の周波数帯の送信信号をアンテナ端子２に供給する際に、第一の周波数帯切替電圧にローレベルの電圧を、第二の周波数帯切替電圧にハイレベルの電圧をそれぞれ供給するようにして、第一の周波数帯の送信信号または第二の周波数帯の送信信号を択一的に選択してアンテナ端子２に供給する例を挙げて説明した。この場合、第一乃至第六のスイッチダイオード１０乃至１５におけるアノードとカソードの接続状態を、それぞれ図１に図示する状態と反対の状態に接続変更し、それと同時に、第一の周波数帯切替電圧及び第二の周波数帯切替電圧の電圧のレベル状態をそれぞれ反対になるように設定した例に変更しても、前述の実施の形態のものと同様に、第一の周波数帯の送信信号または第二の周波数帯の送信信号を択一的に選択してアンテナ端子２に供給することができる。
【００４３】
【発明の効果】
以上のように、本発明のアンテナ切り替え回路では、アンテナ端子２と信号出力端子９との間に第一のマイクロストリップライン１６を設け、第一の周波数帯の送信信号を第一の信号入力端子７から入力するときには、第一のマイクロストリップライン１６の信号出力端子９側の端部を接地し、第二の周波数帯の送信信号を第二の信号入力端子８から入力するときには、第一のマイクロストリップライン１６におけるアンテナ端子２側の端部から第二の周波数帯の周波数に対して１／４波長の長さ離れた位置を接地したので、第一の信号入力端子７から第一の周波数帯の信号を入力する場合にも、第二の信号入力端子８から第二の周波数帯の信号を入力する場合にも、アンテナ１へ送信すべき信号が、信号出力端子９に漏洩することを防げる。
【００４４】
また、本発明のアンテナ切り替え回路は、第一の信号入力端子７とアンテナ端子２との間に第三のスイッチダイオード１２を介挿し、前記第二の信号入力端子８とアンテナ端子２との間に第四のスイッチダイオード１３を介挿し、第一のスイッチダイオード１０のオン／オフ動作を第三のスイッチダイオード１２のオン／オフ動作に連動させ、第二のスイッチダイオード１１のオン／オフ動作を第四のスイッチダイオード１３のオン／オフ動作に連動させたので、第一の周波数帯の送信信号が第二の信号入力端子へ漏洩したり、第二の周波数帯の送信信号が第一の信号入力端子へ漏洩したりすることを防げる。
【００４５】
また、本発明のアンテナ切り替え回路は、第一の切り替え端子１８と第二の切り替え端子１９とによって、第一〜第四のスイッチダイオード１０〜１３を制御するので、切り替え端子の数が減らせ、携帯通信機全体の回路を簡略化できる。
【００４６】
また、チョークコイルの数も減らせるため、アンテナ切り替え回路自体も小型化できる。
【００４７】
さらに、本発明によるアンテナ切り替え回路は、第一の周波数帯の送信信号をアンテナ端子２に供給する際には、第二のスイッチダイオード１１及び第四のスイッチダイオード１３にそれぞれ逆バイアス電圧が印加されるので、第二のスイッチダイオード１１及び第四のスイッチダイオード１３を確実にオフ状態にすることができ、一方、第二の周波数帯の送信信号をアンテナ端子２に供給する際には、第一のスイッチダイオード１０及び第三のスイッチダイオード１２にそれぞれ逆バイアス電圧が印加されるので、第一のスイッチダイオード１０及び第三のスイッチダイオード１２を確実にオフ状態にすることができる。
【図面の簡単な説明】
【図１】本発明のアンテナ切り替え回路の回路図である。
【図２】携帯通信機器などで用いられるアンテナ切り替え回路の回路図である。
【図３】従来のアンテナ切り替え回路の回路図である。
【符号の説明】
１  アンテナ
２  アンテナ端子
３  第一の送信回路
４  第二の送信回路
５  第一の受信回路
６  第二の受信回路
７  第一の信号入力端子
８  第二の信号入力端子
９  信号出力端子
１０  第一のスイッチダイオード
１１  第二のスイッチダイオード
１２  第三のスイッチダイオード
１３  第四のスイッチダイオード
１４  第五のスイッチダイオード
１５  第六のスイッチダイオード
１６  第一のマイクロストリップライン
１７  第二のマイクロストリップライン
１８  第一の切り替え端子
１９  第二の切り替え端子
２０  第三の切り替え端子
２１ａ〜２１ｈ  コンデンサ
２２ａ〜２２ｃ  チョークコイル
２３ａ〜２３ｃ  抵抗
【図１】
0003781958.tif 000002
【図２】
0003781958.tif 000003
【図３】
0003781958.tif 000004